(57)【特許請求の範囲】
【請求項１】
複数の基地局から各移動局に対して送信されるＷ−ＣＤＭＡ信号を受信して測定のタイミングを示すタイミング信号に応じて受信信号レベルを測定し、その受信信号レベルに基づいて前記各基地局の電波サービスエリアを評価する電波サービスエリア評価装置（１）であって、
前記タイミング信号はＷ−ＣＤＭＡ信号を取り込む測定取り込みタイミング信号（ａ１）及び測定開始情報と測定終了情報を示す評価対象区間信号（ａ２）を含むマスタ同期信号であるか、又は、測定開始情報、測定終了情報、及びＷ−ＣＤＭＡ信号を取り込む測定取り込みタイミングからなる所定の情報コードを含みかつパルス群から構成されるスレーブ同期信号であり、
前記マスタ同期信号であるタイミング信号を入力するときには該電波サービスエリア評価装置をマスタに設定し、前記スレーブ同期信号であるタイミング信号を入力するときには該電波サービスエリア評価装置をスレーブに設定するための切替部（７２）と、
前記タイミング信号に応じて電波サービスエリアを評価する測定部（８０）と、
前記電波サービスエリア評価装置が前記切替部によりマスタに設定されている場合には、
前記マスタ同期信号を前記測定部に送出するとともにスレーブ同期信号に変換して外部に出力し、前記電波サービスエリア評価装置が前記切替部によりスレーブに設定されている場合には、前記スレーブ同期信号をそのまま外部に出力する変換部（２０）と、
前記電波サービスエリア評価装置が前記切替部によりスレーブに設定されている場合には、前記変換部からそのまま出力されたスレーブ同期信号から前記所定の情報コードに含まれる測定開始情報、測定終了情報及び測定取り込みタイミングを再生し前記測定部へ送出する復号部（３０）と、
前記電波サービスエリア評価装置が前記切替部によりスレーブに設定されている場合には、前記変換部からそのまま出力されたスレーブ同期信号から所定時間範囲内の前記所定の情報コードに含まれるパルスをカウントするためのゲート信号を生成するゲート生成部（４０）と、を備えた前記電波サービスエリア評価装置。
【請求項２】
複数の基地局を選択して、その基地局から送出される移動局向けW−CDMA信号を受けて、測定開始時期を示す開始信号、データ取得時刻を示すトリガ信号、及び測定終了時期を示す終了信号で測定し、その測定したレベルに基づいて前記各基地局の電波サービスエリアを評価するため測定部（８０）を備えた電波サービスエリア評価装置（１）であって、複数の前記電波サービスエリア評価装置間で一方が他方に測定タイミング情報を送ってその測定タイミングで測定させるため、Ｗ−ＣＤＭＡ信号を最初に受信する電波サービスエリア評価装置に該当する場合はマスターに、それ以外の電波サービスエリア評価装置に該当する場合はスレーブに切り替えるための切替部（７２）と、前記切替部がマスターに設定されている場合は、前記開始信号を第１の所定数のパルス群に、前記トリガ信号を第２の所定数のパルス群に、終了時期を示す信号を第３の所定数のパルス群に変換して一時系列の前記測定タイミング情報としてスレーブに設定された下位の電波サービスエリア評価装置に送出可能にし、前記切替え部がスレーブに設定されている場合は、上位の電波サービスエリア評価装置から前記測定タイミング情報を受領してスルーで下位の電波サービスエリア評価装置へ出力可能にするための変換部（２０）と、前記切替部がスレーブに設定されている場合は、前記一時系列のタイミング情報から第１の所定数のパルス群、前記第２の所定数のパルス群及び第３の所定数のパルス群を分離するために、前記パルス群に対応した窓時間を有するゲート信号を生成するゲート生成部（４０）と、前記切替部がスレーブに設定されている場合は、前記ゲート生成部から生成されたゲート信号の各窓時間内のパルス数をカウントすることによって復号開始信号、復号トリガ信号及び復号終了信号を生成し、これらを前記開始信号、トリガ信号及び終了信号に代えて前記測定部に送出して測定せしめるための復号部（３０）とを備えたことを特徴とする電波サービスエリア測定装置。
【請求項３】
前記切替部によりマスターに設定されている場合に、前記開始信号、トリガ信号及び終了信号を外部から受領することを特徴とする請求項２記載の電波サービスエリア評価装置。
【請求項４】
前記切替部によりマスターに設定されている場合に、ゲート生成部及び復号部が動作し、前記測定部は、前記復号部からの復号開始信号、復号トリガ信号及び復号終了信号で動作することを特徴とする請求項２又は請求項３記載の電波サービスエリア測定装置。
【請求項５】
複数の基地局を選択して、その基地局から送出される移動局向けW−CDMA信号を受信し、その受信信号のレベルに基づいて前記各基地局の電波サービスエリアを評価するため測定部（８０）を備えた電波サービスエリア評価装置（１）であって、複数の前記電波サービスエリア評価装置間で一方が他方に測定タイミング情報を送ってその測定タイミングで測定させるため、Ｗ−ＣＤＭＡ信号を最初に受信する電波サービスエリア評価装置に該当する場合はマスターとなり、それ以外の電波サービスエリア評価装置に該当する場合はスレーブとなるための切替部（７２）と、マスター側に接続するための第1の端子(９０ａ)と、スレーブ側に接続されるための第2の端子(９０ｂ)と、測定開始時期を示す第１の所定数のパルス群、データ取得時刻を示す第２の所定数のパルス群、及び測定終了時期を示す第３の所定数のパルス群を一連の時系列信号として発生するコード発生部（１１０）と、前記切替部からの指示で、マスターに設定される場合は、前記コード発生部の出力を前記第2の端子に送出し、スレーブに設定される場合は、第１の端子からの信号を第２の端子へ送出するスイッチ部（１６０）と、前記第１の所定数のパルス群、前記第２の所定数のパルス群、及び第３の所定数のパルス群に分離し、それぞれのパルス群のパルス数をカウントすることによって測定開始、トリガ信号及び測定終了を復号して前記測定部に送出して測定せしめるための復号タイミング生成部（１２０）とを備えたことを特徴とする電波サービスエリア測定装置。
【請求項６】
前記電波サービスエリア評価装置は、それを複数台接続することにより、１台の電波サービスエリア評価装置はその装置の切替部によりマスタに設定され、他の電波サービスエリア評価装置はその装置の切替部によりスレーブに設定され、前記それぞれの電波サービスエリア評価装置で受信信号レベルの測定を分担することができる前記請求項１、２、３、４、又は５記載の電波サービスエリア評価装置。
【発明の詳細な説明】
【０００１】
【発明の属する技術分野】
本発明は、W−CDMA（広帯域・符号分割多元接続：wideband-code division multiple access）方式を採用した携帯電話等の移動体通信網システムにおける各基地局の電波サービスエリアを評価する電波サービスエリア評価装置に関する。
特に、電波サービスエリア評価装置を複数台用いて、複数の測定信号を各装置に割り振ることにより、高速測定を行う電波サービスエリア評価装置に関する。
【０００２】
【従来の技術】
携帯電話等の移動体網システムにおいては、電話サービス地域内に互いに近接して多数の基地局を設置している。この場合、互いに隣接する基地局の電波の届く範囲を示す各セルは互いにその一部が重複している。このように隣接するセルを重複させることによって、移動局は通話をしながら他セルへ移動したとしても、通信先の基地局が自動的に切り替り、通話が遮断されることはない。
【０００３】
したがって、携帯電話の所有者に良好な通話サービスを提供するためには、各基地局相互間で両方の電波が届かない一般的な電波の谷間を解消することは勿論のこと、ビルの陰等における局部的な電波の谷間を解消する必要がある。
【０００４】
よって、電話サービス地域内における各地点において、該当地点をセルとする１つ又は複数の基地局からの電波は勿論、隣接セルの基地局からの電波をも測定して、該当地点の電波状態を評価することは、新規に基地局を設置したり、設置済みの基地局の維持管理に非常に重要なことである。
【０００５】
電話サービス地域内の各地点における電波状態を測定する場合、図６に示すように、測定者は、測定車２００に測定装置１を搭載して、複数の基地局３００が設置された電話サービス地域内を移動する。そして、移動しながら各地点で各基地局３００からの電波４００を受信して、各電波４００の受信信号レベルを測定して、該当地点における各電波状態を評価する。
【０００６】
各基地局３００から図示しない携帯電話の各移動局へ送信される電波４００には、Ｗ−ＣＤＭＡ信号が含まれる。このＷ−ＣＤＭＡ信号においては、１つの周波数帯域内に、それぞれ互いに異なる符号で拡散された共通パイロットチャネル（ＣＰＩＣＨ）、同期チャネル（ＳＣＨ）、複数のデータチャネル（ＣＨ１〜ＣＨＮ）が信号合成された状態で含まれる。
【０００７】
共通パイロットチャネル（ＣＰＩＣＨ）は、図７に示すように、基地局を特定する９ビットのプライマリコードと４ビットのセカンダリコードにより生成された符号（例えばＰＮ符号）により拡散されている。
【０００８】
さらに、９ビットのプライマリコードは、６ビットのグループコードと３ビットのセルコードとで構成されている。したがって、各基地局３００は９ビットで特定されるので、２9＝５１２のコードのうちの１個のチャネル（ＣＨ）コードが各基地局３００に割付けられる。測定車２００に搭載された電波サービスエリア評価装置１は、５１２種類の基地局の受信信号レベルを測定する。
【０００９】
【発明が解決しようとする課題】
しかしながら、図６に示すように、電波サービス地域内の各地点における各基地局から送信される電波４００の電波状態を評価する電波サービスエリア評価装置１においては、まだ改良すべき次のような課題があった。
【００１０】
複数の基地局の受信レベルを高速に測定するには、複数台の電波サービスエリア評価装置１が必要となる。しかし、電波サービスエリア評価装置１は測定車２００に搭載されるため、複数台の測定開始等のスイッチを同時に押すこと困難である。さらに、複数台を制御するとしても制御器が必要であり、制御器の入力端子数で同時に測定可能な測定器の数が決まっていた。
【００１１】
本発明は、このような事情に鑑みてなされたものであり、複数台の装置をデイジーチェーン接続し、同期させて繰り返し測定の高速化を実現するための装置であり、下位装置への情報転送を制御信号１本でできるようにした。
【００１２】
【課題を解決するための手段】
上記課題を解決するために、第１の発明は、複数の基地局から各移動局に対して送信されるＷ−ＣＤＭＡ信号を受信して測定のタイミングを示すタイミング信号に応じて受信信号レベルを測定し、その受信信号レベルに基づいて前記各基地局の電波サービスエリアを評価する電波サービスエリア評価装置であって、前記タイミング信号はＷ−ＣＤＭＡ信号を取り込む測定取り込みタイミング信号及び測定開始情報と測定終了情報を示す評価対象区間信号を含むマスタ同期信号であるか、又は、測定開始情報、測定終了情報、及びＷ−ＣＤＭＡ信号を取り込む測定取り込みタイミングからなる所定の情報コードを含みかつパルス群から構成されるスレーブ同期信号であり、前記マスタ同期信号であるタイミング信号を入力するときには該電波サービスエリア評価装置をマスタに設定し、前記スレーブ同期信号であるタイミング信号を入力するときには該電波サービスエリア評価装置をスレーブに設定するための切替部と、前記タイミング信号に応じて電波サービスエリアを評価する測定部と、前記電波サービスエリア評価装置が前記切替部によりマスタに設定されている場合には、前記マスタ同期信号を前記測定部に送出するとともにスレーブ同期信号に変換して外部に出力し、前記電波サービスエリア評価装置が前記切替部によりスレーブに設定されている場合には、前記スレーブ同期信号をそのまま外部に出力する変換部と、前記電波サービスエリア評価装置が前記切替部によりスレーブに設定されている場合には、前記変換部からそのまま出力されたスレーブ同期信号から前記所定の情報コードに含まれる測定開始情報、測定終了情報及び測定取り込みタイミングを再生し前記測定部へ送出する復号部と、前記電波サービスエリア評価装置が前記切替部によりスレーブに設定されている場合には、前記変換部からそのまま出力されたスレーブ同期信号から所定時間範囲内の前記所定の情報コードに含まれるパルスをカウントするためのゲート信号を生成するゲート生成部とを備える。
【００１３】
また、第２の発明は、複数の基地局を選択して、その基地局から送出される移動局向けＷ−ＣＤＭＡ信号を受けて、測定開始時期を示す開始信号、データ取得時刻を示すトリガ信号、及び測定終了時期を示す終了信号で測定し、その測定したレベルに基づいて前記各基地局の電波サービスエリアを評価するため測定部を備えた電波サービスエリア評価装置であって、複数の前記電波サービスエリア評価装置間で一方が他方に測定タイミング情報を送ってその測定タイミングで測定させるため、Ｗ−ＣＤＭＡ信号を最初に受信する電波サービスエリア評価装置に該当する場合はマスターに、それ以外の電波サービスエリア評価装置に該当する場合はスレーブに切り替えるための切替部と、前記切替部がマスターに設定されている場合は、前記開始信号を第１の所定数のパルス群に、前記トリガ信号を第２の所定数のパルス群に、終了時期を示す信号を第３の所定数のパルス群に変換して一時系列の前記測定タイミング情報をスレーブに設定された電波サービスエリア評価装置に送出可能にし、前記切替え部がスレーブに設定されている場合は、上位の電波サービスエリア評価装置から前記測定タイミング情報を受領してスルーで下位の電波サービスエリア評価装置へ出力可能にするための変換部と、前記切替部がスレーブに設定されている場合は、前記一時系列のタイミング情報から第１の所定数のパルス群、前記第２の所定数のパルス群及び第３の所定数のパルス群を分離するために、前記パルス群に対応した窓時間を有するゲート信号を生成するゲート生成部と、前記切替部がスレーブに設定されている場合は、前記ゲート生成部から生成されたゲート信号の各窓時間内のパルス数をカウントすることによって復号開始信号、復号トリガ信号及び復号終了信号を生成し、これらを前記開始信号、トリガ信号及び終了信号に代えて前記測定部に送出して測定せしめるための復号部とを備えている。
【００１４】
また、第３の発明は、第２の発明の電波サービスエリア評価装置に加えて、切替部によりマスターに設定されている場合に、前記開始信号、トリガ信号及び終了信号を外部から受領することを特徴とする。
【００１５】
また、第４の発明は、第２または第３の発明の電波サービスエリア評価装置に加えて、切替部によりマスターに設定されている場合に、ゲート生成部及び復号部が動作し、測定部は、復号部からの復号開始信号、復号トリガ信号及び復号終了信号で動作することを特徴とする。
【００１６】
また、第５の発明は、複数の基地局を選択して、その基地局から送出される移動局向けW−CDMA信号を受信し、その受信信号のレベルに基づいて前記各基地局の電波サービスエリアを評価するため測定部を備えた電波サービスエリア評価装置であって、複数の前記電波サービスエリア評価装置間で一方が他方に測定タイミング情報を送ってその測定タイミングで測定させるため、Ｗ−ＣＤＭＡ信号を最初に受信する電波サービスエリア評価装置に該当する場合はマスターとなり、それ以外の電波サービスエリア評価装置に該当する場合はスレーブとなるための切替部と、それ以外の電波サービスエリア評価装置に該当する場合はスレーブとなるための切替部と、マスター側に接続するための第1の端子と、スレーブ側に接続されるための第2の端子と、測定開始時期を示す第１の所定数のパルス群、データ取得時刻を示す第２の所定数のパルス群、及び測定終了時期を示す第３の所定数のパルス群を一連の時系列信号として発生するコード発生部と、前記切替部からの指示で、マスターに設定される場合は、前記コード発生部の出力を前記第2の端子に送出し、スレーブに設定される場合は、第１の端子からの信号を第２の端子へ送出するスイッチ部と、前記第１の所定数のパルス群、前記第２の所定数のパルス群、及び第３の所定数のパルス群に分離し、それぞれのパルス群のパルス数をカウントすることによって測定開始、トリガ信号及び測定終了を復号して前記測定部に送出して測定せしめるための復号タイミング生成部とを備えたことを特徴とする。
【００１７】
また、第６の発明は、第１、２、３、４、または第５の発明の電波サービスエリア評価装置において、電波サービスエリア評価装置を複数台接続することにより、１台の電波サービスエリア評価装置はその装置の切替部によりマスタに設定され、他の電波サービスエリア評価装置はその装置の切替部によりスレーブに設定され、前記それぞれの電波サービスエリア評価装置で受信信号レベルの測定を分担することができることを特徴とする。
【００１８】
このように構成された電波サービスエリア評価装置においては、複数台を直列接続した電波サービスエリア評価装置の先頭の１台をマスタ、他をスレーブに設定する。マスタ装置は、測定タイミング信号として、Ｗ−ＣＤＭＡ信号を取り込む測定取り込みタイミング信号（ａ１）及び測定開始情報と測定終了情報を示す評価対象区間信号（ａ２）を含むマスタ同期信号を受け、そのタイミング信号に応じて自己の受け持つチャネルの電波サービスエリアを評価するとともに、マスタ同期信号を、測定開始情報、測定終了情報、及びＷ−ＣＤＭＡ信号を取り込む測定取り込みタイミングからなる所定の情報コードを含みかつパルス群から構成されるスレーブ同期信号に変換して、後段に接続したスレーブ装置に送出する。
【００１９】
スレーブ装置は、スレーブ同期信号のタイミングに応じて自己の受け持つチャネルの電波サービスエリアを評価するとともに、スレーブ同期信号をそのまま後段に接続したスレーブ装置に送出する。
【００２０】
このように構成された電波サービスエリア評価装置においては、一つの電波サービスエリア評価装置をマスタに設定した場合は、これを１台を携帯して歩行しながら受信信号レベルを測定することができる。また、電波サービスエリア評価装置を複数台接続することにより、複数の被測定対象を直列接続した各電波サービスエリア評価装置１に割り振ることにより、１台あたりの被測定対象が少なくなり、その結果１回の測定時間が短くなり、繰返し測定を速くすることができる。その結果、複数台の電波サービスエリア評価装置１の測定結果を、別の処理装置で処理されて該当地点における信号レベルとして表示される。したがって、測定者は、各基地局３００からの各電波４００の状態を簡単に比較対照できる。
【００２１】
【発明の実施の形態】
以下、本発明の一実施形態を図面を用いて説明する。本発明の理解するために、図２の本発明の使用例から説明する。図２において、電波サービスエリア測定装置（以下、「装置」と称する。）１をｎ個配列し、先頭の装置をマスター状態とし、他の装置を全てスレーブ状態に設定するとともに、各装置が測定を受け持つチャネルは例えば互いに異なる10チャネルずつを受け持つように設定されたとする。
【００２２】
このような状態で、マスターの装置は、外部同期信号（測定開始／測定終了／トリガ）ａ１、ａ２を受け自己の受け持ちチャネルを測定するとともに、スレーブの装置に同期して測定させるためのスレーブ同期信号ｂを生成して出力する。各スレーブの装置は、同一のスレーブ信号ｂを受けて、それぞれの受け持つチャネルの測定を実施する。
【００２３】
本発明は、１つの装置がマスターにもなりスレーブにもなるとともに、マスターの装置とスレーブの装置間の同期を簡単にとれやすくすることにより、多チャネルの測定を早く測定可能にしたものである。
【００２４】
（第１の実施例）
以下に図１の本発明の装置の構成例をもとに、本発明に係る装置が、マスター状態で動作する場合とスレーブ状態で動作する場合に分けて説明する。
【００２５】
（１）マスター状態で動作する場合
この場合は、パネル７０における切替部７２によりスイッチ２１ａ、２１ｂ、６０をM側（マスター側）に設定した場合である。したがって、マスターとして動作する場合は、復号部３０、ゲート生成部４０は実質的動作をしていないので、これの説明は、後記のスレーブとしての動作で説明する。
【００２６】
図１において、先ず、同期選択部７１により、外部同期信号ａ（ａ１、ａ２）で動作させるか、内部の同期信号発生部５０からの信号で動作させるかを選択する。外部同期信号aは、図３に示すように、測定部８０がデータを取得する際のタイミングを示す外部からのトリガ信号a１と、測定開始と終了の時期情報を含んだスタート・ストップ信号ａ２からなる。同期信号発生部５０の出力信号も外部同期信号aと実質同じである。
【００２７】
測定部８０は、スイッチ２１ａ及び６０を介して得られスタート・ストップ信号ａ２で定まる期間内にトリガー信号ａ１を受けて、チャネル選択部７３で設定されたチャネル数だけ（図２では１０チャネル）分を測定する。
【００２８】
一方、変換部２０に含まれているコード変換部２２は、図３のタイミングチャートに示すように、スタート・ストップ信号ａ２を受けて、スタート時のタイミングを２つの一定周期Tのパルス群（第１のパルス群）に変換するとともに、ストップ時のタイミングを一定周期Tの３つのパルス群（第３のパルス群）にコード変換するとともに、トリガ信号を受けて一定周期Tの１つのパルス（第２のパルス群）に変換し、さらにこれらを一連の時系列のスレーブ同期信号ｂとして出力する。スレーブ同期信号ｂは、下位のスレーブ状態に設定された装置１に送出される。
【００２９】
（２）スレーブ状態で動作する場合
この場合は、パネル７０における切替え部７２によりスイッチ２１ａ、２１ｂ、６０をS側（スレーブ側）に設定した場合である。したがって、スレーブとしてとして動作する場合は、コード変換部２２は動作しない。変換部２０は、上位のマスターの装置１からスレーブ同期信号ｂを受けてスルーで出力する（図２参照）。
【００３０】
上位の装置１からスレーブ同期信号ｂを受けたスレーブの装置１のゲート生成部４０は、スレーブ同期信号ｂを基に所定の窓時間を有するゲート信号ｃ(図４参照)を生成する。
【００３１】
この所定の窓時間は、前記スレーブ同期信号ｂを受けて、一定周期Tのパルスのパルスが欠けた後に到来した最初のパルスを受けた時刻から、パルス群が含まれるまで時刻になるよう設計されている。つまり、一定周期Tのパルスが欠ける時間をもって各パルス群を分離できる窓時間にされている。
【００３２】
カウンタ３１は、前記スレーブ同期信号ｂとゲート信号ｃを受けて、各パルス群を分離して、各パルス群毎にパルス数を計数する（図４のｄを参照）。したがって、ある群のパルスを計数した後は計数をクリアし、次の群のパルス群がきたら最初から計数する。情報復号部３２は、このカウンタ３１の計数結果から、例えば、２つのパルスを計数した後は、復号スタート信号（図４のｅ２）を発生し、１つのパルスを計数した後は復号トリガ信号(図４のｅ１)を発生し、３つのパルスを計数した後は復号ストップ信号（図４のｅ２）を発生して、これらを測定部８０に送出することによって、これらのタイミングで測定させる。
【００３３】
（第２実施例）
本発明は、上記第１実施例では、装置１がマスター動作をするときは、復号部３０、及びゲート生成部４０は動作しなかったが、これらをマスター動作時にも動作するようにし、測定部８０は、マスター動作時も、スレーブ動作時も復号部３０からの復号開始信号、復号トリガ信号及び復号終了信号で動作するようにしたものである。こうすると、マスターの装置もスレーブの装置も同一時刻のタイミングで測定できる。具体的には、図１において、スイッチ６０を無くし、情報復号部３２の出力を測定部８０へ直接入力するよう構成すればよい。
【００３４】
（第３実施例）
図５は、第３の実施例であり、請求項５に対応する構成を示す図で、図中の符号で図１と同一符号は同一機能を示す。本発明は、図５に示すように、第１の端子９０ａを上位のマスターの装置、第２の端子９０ｂを下位のスレーブの装置につなげる構成とする。該当装置がマスターとなる場合は、スイッチ部１００をM（マスター側）にして、コード発生部１１０でスレーブ同期信号ｂを生成して第２の端子９０ｂを介してスレーブ側へ送出する。スレーブのときは上位のマスター装置からのスレーブ同期信号ｂを第1の端子９０ａで受けてそのまま第2の端子９０ｂを介して下位のスレーブ側へ送出する。
【００３５】
コード発生部１１０は、いわば図１の同期信号発生部５０の機能とコード変換部２２の機能を合わせたものである。また同期信号発生部５０の代わりに外部から同期信号を受けるように構成してもよい。
【００３６】
（電波サービスエリア評価装置の動作説明）
図６は実施形態に係る電波サービスエリア評価装置１を用いた電波の状態を示す模式図である。測定者は、測定車２００に本発明の実施形態の電波サービスエリア評価装置１を搭載して、複数の基地局３００が設置された電話サービス地域内を移動する。そして、移動しながら各地点で各基地局３００からの電波４を受信して、各電波４の受信信号レベルを測定して、該当地点おける各電波状態を評価する。
【００３７】
前述したように、各基地局３００から図示しない携帯電話の各移動局へ送信される電波４００には、Ｗ−ＣＤＭＡ信号が含まれる。このＷ−ＣＤＭＡ信号においては、１つの周波数帯域内に、それぞれ互いに異なる符号で拡散された共通パイロットチャネル（ＣＰＩＣＨ）９、同期チャネル（ＳＣＨ）（図示せず）、複数のデータチャネル（ＣＨ１〜ＣＨＮ）（図示せず）が信号合成された状態で含まれる。共通パイロットチャネル（ＣＰＩＣＨ）９は、図７に示すように、基地局を特定する９ビットのプライマリコード９ａと４ビットのセカンダリコード９ｂにより生成された符号（例えばＰＮ符号）により拡散されている。
【００３８】
さらに、９ビットのプライマリコード９ａは、６ビットのグループコードと３ビットのセルコードとで構成されている。したがって、各基地局３００は９ビットで特定されるので、２9＝５１２のコードのうちの１個のチャネル（ＣＨ）コードが各基地局３００に割付けられる。この９ビットのプライマリコード９ａは例えばＰＮ符号でスペクトラム拡散された状態でＷ−ＣＤＭＡ信号に組込まれるので、測定車２００に搭載された電波サービスエリア評価装置１は、予め５１２種類のＰＮ符号を準備して元の共通パイロットチャネル（ＣＰＩＣＨ）９を抽出して該当電波４００の送信元の基地局３００を特定する。
【００３９】
特に図示はしないが、測定車２００に搭載された電波サービスエリア評価装置１は、ケースの前面に表示器と操作部とが設けられている。操作部には、測定開始／終了ボタン、スクロール（矢印）ボタン、選択ボタン、ロータリーノブ、複数のファンクションボタンが配設されている。さらに、ケースの側面には、ＡＣアダプタの接続コネクタ及び外部のＰＣ（パーソナルコンピュータ）に接続するためのシリアルポートが取付けられている。
【００４０】
装置内のバッファメモリ内には、５１２の各基地局３００に割付けたチャネル（ＣＨ）毎に、１０ｍｓ毎に演算処理部により計算された該当チャネルの信号レベルを書込むための領域が形成されている。このバッファメモリは、ＦＩＦＯメモリで構成されており、例えば、最新の３０分間の各信号レベルを記憶している。レベル算出部、信号データメモリに記憶されている１〜３２の各チャネルにおけるＮ個（図２の説明では、１０個）のデータを統計処理してレベルメモリへ書込む。レベルメモリ内には、１〜３２の各チャネル毎に、チャネル（ＣＨ）コード、総計手法で算出されたＥｃ（チャネル当たりの受信エネルギ）、Ｅｃ／Ｎｏ（チャネル当たりの受信エネルギＥｃと受信電力密度Ｎｏとの比）、ＳＩＲ（信号レベルと干渉信号レベルとの比）が書込まれる。
【００４１】
データ抽出部は、信号データメモリ内に記憶された３２個のチャネルのうち表示形式指示部で指定されたチャネルのＮ個の単位データを抽出してデータ編集部へ送出する。
【００４２】
データ編集部は、データ抽出部から入力された各チャネルのＮ個の単位データの各データ（信号レベル）をフォーマットメモリから入力された表示フォーマット（表示形式）に編集して、表示器の表示画面の上側部分に、特性データとして、グラフィック表示する。
【００４３】
さらに、データ編集部は、レベルメモリに記憶されている１〜３２の各チャネルの前述した、チャネル（ＣＨ）コード、Ｅｃ、Ｅｃ／Ｎｏ、ＳＩＲの各データを一覧表のファーマットで表示器の表示画面の下側部分に表示出力する。
【００４４】
なお、一覧表は、表示画面のスペースの関係から全部同時に表示するのではなくて、測定者がスクロールキーを操作することによって、表示されるチャネルを選択可能である。
【００４５】
さらに、表示器の表示画面には、ＧＰＳ衛星から得られた測定車２００の現在位置が緯度、経度の形式で表示される。また、この
【００４６】
さらに、表示器の表示画面には、「レベル変換」、「保存」等の複数のファンクションキーが表示されており、測定者は、操作部の対応するファンクションボタンを指定することによって、任意のファンクションキーを選択可能である。
【００４７】
例えば、「保存」のファンクションキーを操作部のファンクションボタンで指定すると、信号データメモリの記憶内容をＦＤ装着部又はＩＣカード装着部に装着されたＦＤ又はＩＣカードに書込む。
【００４８】
また、電話サービス地域内における各地点においては、該当地点をセルとする基地局３００からの電波４００以外にも他のセルをサービスする各基地３００からの電波４００も多数受信される。その場合、図２に示すように各基地局３００を各電波サービスエリア評価装置１に割り振り、測定者にとって、電話サービス地域内における各地点における各基地局３００から送信される、例えば信号レベルの大きい電波４００の電波状態を確実に評価することが可能となる。この場合、複数の装置で書込まれたＦＤデータをパーソナルコンピュータ等の処理装置で処理し、電波サービスエリアの評価をする。
【００４９】
【発明の効果】
以上説明したように、本発明の電波サービスエリア評価装置は、複数接続する構成となっている。そのため、１台の電波サービスエリア評価装置は、小型、軽量、低消費電力化が図られ、測定者が装置を携帯し、路地裏等を歩き、電波サービスエリアのデータを測定することができる。
【００５０】
また、上記のように電波サービスエリア評価装置で、マスター、スレーブの機能切替可能にするとともにマスタースレーブ間を簡単な時系列信号をもってタイミング信号を復号して測定できる構成として、実際に複数の電波サービスエリア評価装置を直列接続した各装置に割り振るって測定させることにより、１台あたりの被測定対象が少なくなり、その結果１回の測定時間が短くなり、繰返し測定を速くすることができる。つまり、車速に応じた、処理速度が実現できる。さらに、広い道路上に存在する多数の受信信号も測定することができる。
【図面の簡単な説明】
【図１】本発明の一実施形態の電波サービスエリア評価装置を示すブロック図
【図２】本発明の一実施形態の電波サービスエリア評価装置を複数台用いた使用例を示す図
【図３】一実施形態のマスタ装置の動作を示すタイムチャート
【図４】一実施形態のスレーブ装置の動作を示すタイムチャート
【図５】本発明の他の実施形態の電波サービスエリア評価装置を示すブロック図
【図６】電波サービスエリア評価装置を用いた電波状態の測定を示す模式図
【図７】Ｗ−ＣＤＭＡ信号に組込まれた共通パイロットチャネルのフレーム構成図
【符号の説明】
１…電波サービスエリア評価装置、２０…変換部、３０…復号部、４０…データ生成部、７２…切替部、８０…測定部、９０ａ…第１の端子、９０ｂ…第２の端子、１００…スイッチ部、１１０…コード発生部、１２０…復号タイミング生成部。
【図１】
0003854470.tif 000002
【図２】
0003854470.tif 000003
【図３】
0003854470.tif 000004
【図４】
0003854470.tif 000005
【図５】
0003854470.tif 000006
【図６】
0003854470.tif 000007
【図７】
0003854470.tif 000008